(57)【特許請求の範囲】
【請求項１】
容器底壁とその容器底壁に立設された容器側壁とから有底箱状に形成される容器本体に取着されることにより、その容器本体内に収容される収容物に関する情報が記載されるカードを保持するカードホルダであって、
前記容器底壁の外面に沿って配置される底板と前記容器側壁の外面に沿って配置される側板とを曲部を介して一体に形成したホルダ本体を備え、前記側板の上方から前記側板及び前記底板と前記容器側壁及び前記容器底壁との間隙に挿入されるカードが前記ホルダ本体と前記容器本体との前記間隙に保持されるように構成され、前記底板に対する前記側板の角度を維持するためのリブが前記曲部に設けられ、
前記リブが、前記容器本体に向けて突設され、
前記リブが、前記カードが挿脱される方向と直交する方向において離間して一対設けられ、それら一対のリブの間にカードが挿入されるように構成され、
前記一対のリブの間に、それら一対のリブよりも突出長さの短いリブが複数形成されていることを特徴とするカードホルダ。
【請求項２】
容器底壁とその容器底壁に立設された容器側壁とから有底箱状に形成される容器本体に取着されることにより、その容器本体内に収容される収容物に関する情報が記載されるカードを保持するカードホルダであって、
前記容器底壁の外面に沿って配置される底板と前記容器側壁の外面に沿って配置される側板とを曲部を介して一体に形成したホルダ本体を備え、前記側板の上方から前記側板及び前記底板と前記容器側壁及び前記容器底壁との間隙に挿入されるカードが前記ホルダ本体と前記容器本体との前記間隙に保持されるように構成され、前記底板に対する前記側板の角度を維持するためのリブが前記曲部に設けられ、
前記リブが、前記容器本体に向けて突設され、
前記リブが、前記カードが挿脱される方向と直交する方向において離間して一対設けられ、それら一対のリブの間にカードが挿入されるように構成され、
前記側板は、前記間隙に挿入されたカードが視認可能となる開口窓を形成し、
前記容器側壁は、その上部であって外面に突設されるフランジを形成し、前記側板の上端は、前記フランジの近くに配置されていることを特徴とするカードホルダ。
【請求項３】
前記底板の前記容器底壁に対向する底板面は、凹凸状に形成されていることを特徴とする請求項１又は２に記載のカードホルダ。
【請求項４】
前記底板面は、前記カードが挿脱される方向に沿って延びる突条により、凹凸状に形成されていることを特徴とする請求項３に記載のカードホルダ。
【発明の詳細な説明】
【技術分野】
【０００１】
本発明は、容器本体に取着されるカードホルダに関する。
【背景技術】
【０００２】
カードホルダとしては、その上方から挿入されたカードが容器本体の側壁の外面に沿った状態で保持されるように構成したものが知られている（特許文献１〜４参照）。こうしたカードホルダ又は容器本体には、挿入されるカードが容器本体の下方へ突出することを防止する下壁が設けられている。
【特許文献１】特開２００３−３１２６７６号公報
【特許文献２】特開２００３−３１２６７７号公報
【特許文献３】特開２００５−１８６９４４号公報
【特許文献４】特開２００６−２４３５２２号公報
【発明の開示】
【発明が解決しようとする課題】
【０００３】
カードホルダに保持されるカードには、容器に収容される収容物に関する情報が記載される。そうしたカードの寸法は、例えばカードに表記される情報量、情報の識別容易性、カードの取り扱い性等に応じて設定される。一方、容器本体の高さ寸法は、例えば収容物の寸法、収容物の収容形態等に応じて設定される。ところで、カードを容器本体の側壁外面に添着するようにしてカードホルダに保持させたときに、カード及び容器本体の寸法によっては、カードが容器本体の上方に突出することになる。このように突出したカードは、例えば容器の運搬、段積み等に際して、他の容器等に引っ掛かることがある。その結果、容器の取り扱い作業の妨げとなったり、カードが脱落したりする虞がある。この点、容器本体の高さ寸法に応じてカードを折り曲げて保持させることで、カードの突出を防止することができるものの、カードの折り曲げ及び展開といった作業が必要となる。その結果、カードの挿脱作業について、作業性の低下を招いてしまう。
【０００４】
そこで、ホルダ本体を、容器底壁の外面に沿って配置される底板と容器側壁の外面に沿って配置される側板とを曲部を介して一体に形成するとともに、同ホルダ本体と容器本体との間隙にカードが保持されるようにした構成が考えられる。こうしたホルダ本体によれば、容器本体の側壁外面の領域に加えて底壁外面の領域においても、カードが保持される領域として構成することができる。このため、容器本体の側壁外面の領域のみでは折り曲げが必要な寸法のカードであっても、折り曲げずに保持させることが可能となる。
【０００５】
上述したホルダ本体において、底板と側板とのなす角度は、カードの挿脱容易性、カードの保持安定性等の機能性を考慮して、所定の角度に予め設定される。こうした角度は、曲部の形状及び寸法によって設定されることになる。ここで、曲部は容器本体の下端隅部に配置されるため、例えば他の容器本体等に衝突し易い。また、ホルダ本体の取着、ホルダ本体の使用等において底板又は側板に外力が加わったときに、曲部に応力が集中することがある。これにより、曲部が変形することで、上述した角度が変化する結果、カードホルダとしての性能が継続的に発揮され難くなる虞がある。
【０００６】
この発明は、こうした実情に鑑みてなされたものであり、その目的は、性能が継続的に発揮され易いカードホルダを提供することにある。
【課題を解決するための手段】
【０００７】
上記の目的を達成するために請求項１及び請求項２に記載の発明は、容器底壁とその容器底壁に立設された容器側壁とから有底箱状に形成される容器本体に取着されることにより、その容器本体内に収容される収容物に関する情報が記載されるカードを保持するカードホルダであって、前記容器底壁の外面に沿って配置される底板と前記容器側壁の外面に沿って配置される側板とを曲部を介して一体に形成したホルダ本体を備え、前記側板の上方から前記側板及び前記底板と前記容器側壁及び前記容器底壁との間隙に挿入されるカードが前記ホルダ本体と前記容器本体との前記間隙に保持されるように構成され、前記底板に対する前記側板の角度を維持するためのリブが前記曲部に設けられていることを要旨とする。
【０００８】
上記ホルダ本体において、底板に対する側板の角度は、カードの挿脱容易性、カードの保持安定性等の機能性を考慮して、所定の角度に予め設定される。その角度は、カードホルダの性能を継続的に発揮させるという観点から極めて重要である。上記構成によれば、曲部に設けられているリブによって、例えば曲部への外力の作用、曲部への応力集中等に起因する曲部の変形が抑制される結果、底板に対する側板の角度が維持され易くなる。
【０００９】
また、請求項１及び請求項２に記載の発明は、前記リブが、前記容器本体に向けて突設されていることを要旨とする。
容器本体に向けて突設されているリブは、曲部において、カードの挿脱方向とは異なる方向へカードが移動することを規制するリブとして機能させることができる。
【００１０】
また、請求項１及び請求項２に記載の発明は、前記リブが、前記カードが挿脱される方向と直交する方向において離間して一対設けられ、それら一対のリブの間にカードが挿入されるように構成されていることを要旨とする。
【００１１】
この構成によれば、カードの移動を規制するリブとしての機能を更に発揮させることができる。
とくに、請求項１に記載の発明は、前記一対のリブの間に、それら一対のリブよりも突出長さの短いリブが複数形成されていることを要旨とする。
とくに、請求項２に記載の発明は、前記側板は、前記間隙に挿入されたカードが視認可能となる開口窓を形成し、前記容器側壁は、その上部であって外面に突設されるフランジを形成し、前記側板の上端は、前記フランジの近くに配置されていることを要旨とする。
請求項３に記載の発明は、請求項１又は請求項２に記載のカードホルダにおいて、前記底板の前記容器底壁に対向する底板面は、凹凸状に形成されていることを要旨とする。
【００１２】
この構成によれば、底板面が凹凸状に形成されているため、底板面に摺接されながら挿脱されるカードと底板面との接触面積を小さくすることができる。すなわち、底面板に対するカードの摺動抵抗を低減することができるため、カードを円滑に挿脱することができるようになる。
【００１３】
請求項４に記載の発明は、請求項３に記載のカードホルダにおいて、前記底板面は、前記カードが挿脱される方向に沿って延びる突条により、凹凸状に形成されていることを要旨とする。
【００１４】
この構成によれば、カードの挿脱を案内する機能と、底面板に対するカードの摺動抵抗を低減する機能とをバランスよく発揮させることができる。また、そうした突条によって底板面が補強される。
【発明の効果】
【００１５】
本発明によれば、カードホルダとしての性能が継続的に発揮され易くなる。
【発明を実施するための最良の形態】
【００１６】
以下、本発明を具体化した一実施形態について図面に基づいて詳細に説明する。
図１（ａ）はカードホルダを示すとともに図１（ｂ）は容器本体の一部を示している。カードホルダ１１は、有底四角箱状に形成される容器本体５１に取着されることにより、容器本体５１内に収容される収容物に関する情報が記載されるカードＣを保持するものである。容器本体５１は、容器底壁５２とその容器底壁５２に立設された容器側壁５３とが合成樹脂から一体に形成されたものである。カードホルダ１１を構成するホルダ本体１２は、容器底壁５２の外面に沿って配置される底板１３と容器側壁５３の外面に沿って配置される側板１４とを備え、それら底板１３の一側縁と側板１４の一側縁とは曲部１５を介して一体に形成されている。なお、本実施形態のカードホルダ１１は、容器本体５１と同様に合成樹脂から一体に形成されることで、軽量化が図られている。
【００１７】
図２及び図３は、容器本体５１にカードホルダ１１を取着した状態を示している。カードホルダ１１は、ホルダ本体１２と容器本体５１とが間隙を有するように取着される。これにより、側板１４の上方から側板１４と容器側壁５３との間隙に挿入されるカードＣは、ホルダ本体１２と容器本体５１との間隙に保持されるようになる。図４（ａ）に示すように、底板１３において容器底壁５２の外面に対向する底板面と、側板１４において容器側壁５３の外面に対向する側板面とは、曲部１５の有する曲面を介した連続面を形成している。そうした連続面と容器本体５１の外面との間隙にカードＣは保持される。こうしたカードホルダ１１は、容器側壁５３の外面領域に加えて容器底壁５２の外面領域についても、カードＣが保持される領域とすることができる。このため、容器本体５１の高さ寸法よりも寸法の大きい辺を有するカードＣであっても、そのカードＣの寸法に応じて底板１３の寸法を設定することにより、容器側壁５３の上方に突出することなくカードＣを保持させることができるようになる。なお、側板１４には挿入されたカードＣを視認可能とする開口窓が形成されている。
【００１８】
ホルダ本体１２において、底板１３に対する側板１４のなす角度は、カードＣの挿脱容易性、カードＣの保持安定性等の機能性を考慮して、所定の角度に予め設定されている。すなわち、底板面に対する側板面のなす角度は、例えば９０°以上の所定角度に設定されることで、カードＣの挿脱容易性が十分に得られ易くなる。そうした角度は、側板１４と容器側壁５３との間隔設定の基準となるため、カードＣの挿脱容易性、保持安定性等といった観点から重要である。なお、容器側壁５３においてカードホルダ１１の取着部となる部位には側板１４に沿って傾斜する側壁傾斜部５３ａが形成されている。
【００１９】
図１に示すように、曲部１５には、底板１３に対する側板１４の角度を維持するための第１角度維持リブ１６が容器本体５１に向けて突設されている。第１角度維持リブ１６は、カードの挿脱方向Ｄと直交する方向において離間して一対設けられ、これら一対の第１角度維持リブ１６の間にカードＣが挿入されるように構成されている。さらに、それら第１角度維持リブ１６の間には、第２角度維持リブ１７が設けられている。こうした第１及び第２角度維持リブ１６、１７によって、曲部１５への外力の作用、曲部１５への応力集中等に起因する曲部１５の変形が抑制される結果、底板面に対する側板面のなす角度が維持されるようになる。また、第１及び第２角度維持リブ１６、１７は、曲部１５の両側縁に沿って延びるように設けられている。このように第１及び第２角度維持リブ１６、１７を設けることで、曲部１５の変形抑制作用が高められる結果、それら第１及び第２角度維持リブ１６、１７の角度維持機能をより高めることができる。なお、第２角度維持リブ１７の突出長さは、第１角度維持リブ１６の突出長さよりも短く設定されることで、カードＣの挿入可能な間隙が確保されている。
【００２０】
本実施形態の第１角度維持リブ１６は、側板１４の両側縁に設けられる側板リブ１８と、底板１３の側縁に設けられる底板側縁リブ１９と、底板１３において曲部１５に対向する先端縁に設けられる底板先端縁リブ２０とに連続して設けられている。これら第１角度維持リブ１６、側板リブ１８、底板側縁リブ１９、及び底板先端縁リブ２０は、ホルダ本体１２を補強することで、ホルダ本体１２の歪みを抑制する。また、側板リブ１８、第１角度維持リブ１６、及び底板側縁リブ１９は、カードＣがその挿脱方向Ｄとは異なる方向へ移動することを規制する一方で、底板先端縁リブ２０は、底板面上のカードＣが挿入方向へ移動することを規制する。すなわち、こうしたカードＣの移動の規制により、カードＣはホルダ本体１２と容器本体５１との間隙の所定領域に案内され、かつ、その所定領域にカードＣが保持されるようになる。
【００２１】
図１に示すように底板面は、カードＣの挿脱方向Ｄに沿って延びる底板突条１３ａにより、凹凸状に形成されている。このように形成した底板面によって、同底板面に摺接されながら挿脱されるカードＣと底板面との接触面積が小さくなるように構成されている。なお、底板突条１３ａの突出長さは、第１角度維持リブ１６、底板側縁リブ１９、及び底板先端縁リブ２０の突出長さよりも短く設定されていることにより、カードＣを挿入可能な間隙が確保されている。本実施形態の底板突条１３ａは、カードＣの挿脱方向Ｄと直交する方向において離間して複数形成されるとともに、各底板突条１３ａは上述した第２角度維持リブ１７に連続するように位置している。なお、第２角度維持リブ１７によっても、カードＣと曲面との接触面積が小さくなるように構成されている。
【００２２】
底板１３の先端縁には、環状をなす底板係合部２１が離間して一対設けられるとともに、側板１４の先端縁の両端部には、爪状をなす側板係止部２２が一対設けられている。図３（ａ）に示すように、底板係合部２１は容器底壁５２の外面に突出する底壁係合部５４に係止されるように構成されている。一方、側板係止部２２は、図３（ｂ）及び図４（ｂ）に示すように、容器側壁５３の外面に突設される側壁係止部５５の貫通孔に挿入されることで係止されるように構成されている。
【００２３】
図１に示すように、各底板側縁リブ１９には、板状をなす支持部２３が突設されている。これら支持部２３は、図３（ａ）に示すように容器底壁５２の外面に凹設される底壁嵌合部５２ａに嵌合されるとともに支持部２３の面は底壁の外面に当接するように設けられることにより、容器底壁５２に対して底板１３は位置決めした状態で支持されるようになる。このように底板側縁リブ１９を支持部２３によって容器底壁５２に支持させることで、底板側縁リブ１９の変形が抑制され、底板１３に対する底板側縁リブ１９の角度が維持され易くなる。すなわち、底板側縁リブ１９の変形により底板１３と容器底壁５２との間隙が狭まるという不具合を抑制することができる。
【００２４】
次に、本実施形態のカードホルダ１１の使用状態について説明する。
カードホルダ１１を容器本体５１に取着するには、図３（ａ）に示されるように底板係合部２１を底壁係合部５４に係合させるとともに支持部２３を底壁嵌合部５２ａに嵌合する。次いで、図３（ｂ）に示されるように側板係止部２２を側壁係止部５５に係止することで、カードホルダ１１の取着が完了する。
【００２５】
カードホルダ１１にカードＣを保持させるには、図１及び図４（ａ）に示されるように側板１４の上方から側板面と容器側壁５３の外面との間隙にカードＣを挿入して、そのカードＣを底板面と容器底壁５２の外面との間に至るまで差し込む。なお、こうして保持されたカードＣは、側板１４の上方へ向けて引き出すことにより、カードホルダ１１から取り出すことができる。ここでカードＣは、紙、樹脂シート等のシート材から形成されているため、湾曲させたときには、元の形状に戻ろうとする復元力が働く。こうしたカードＣが曲部１５から底板面に至る際には、カードＣは湾曲されるため、復元力によって例えばカードＣの一端部は底板面に摺接されながら挿脱されることになる。このとき、底板面は底板突条１３ａによって凹凸状に形成されているため、カードＣの例えば一端部と底板面との接触面積を小さくすることができる。このため、底板面に対するカードＣの摺動抵抗は低減される結果、カードＣを円滑に挿脱することができるようになる。またこのとき、一対の第１角度維持リブ１６の間にカードＣが挿入されるため、曲部１５を通じるカードＣは、それら第１角度維持リブ１６により、挿脱方向Ｄとは異なる方向へ移動することを規制される。すなわちカードＣは、一対の第１角度維持リブ１６によって挿脱方向Ｄに案内されるようになる結果、カードＣを円滑に挿脱することができるようになる。
【００２６】
このようにして容器本体５１に取着されて使用されるカードホルダ１１において、曲部１５は容器本体５１の下端隅部に配置されているため、容器本体５１の運搬、段済み等の際に、例えば他の容器本体５１等に衝突し易い。また、ホルダ本体１２の取着、ホルダ本体１２の使用等において底板１３又は側板１４に外力が加わったときに、曲部１５に応力が集中することがある。このとき、本実施形態の曲部１５には、第１及び第２角度維持リブ１６、１７が設けられているため、例えば曲部１５への外力の作用、曲部１５への応力集中等に起因する曲部１５の変形が抑制される。その結果、底板１３に対する側板１４の角度が維持されるようになる。
【００２７】
そして、収容物の収容された容器本体５１の仕分け、運搬等は、カードＣに情報に基づいて行われる。なお、カードＣに記載される収容物に関する情報は、特に限定されず、収容物の識別情報、収容物の搬送先を示す情報等が挙げられる。収容物は、特に限定されず、例えば工業用、農業用、水産用、食品用等の物品が挙げられる。
【００２８】
本実施形態によって発揮される効果について、以下に記載する。
（１）ホルダ本体１２において、底板１３に対する側板１４の角度は、カードＣの挿脱容易性、カードＣの保持安定性等の機能性を考慮して、所定の角度に予め設定される。すなわち、その角度は、上記ホルダ本体１２を備えるカードホルダ１１の性能を継続的に発揮させるという観点から極めて重要である。ここで、容器本体５１の下端隅部に配置される曲部１５は、例えば他の容器本体５１等に衝突し易いことに加えて、カードホルダ１１の取着された容器本体５１は、一般に繰り返し使用される。そうした使用に伴って、曲部１５は繰り返しの衝撃を受けるようになる。また、カードＣの挿脱作業も繰り返されることになるため、曲部１５への負荷は蓄積されることになる。本実施形態では、第１及び第２角度維持リブ１６、１７によって、曲部１５への外力の作用、曲部１５への応力集中等に起因する曲部１５の変形が抑制される結果、底板１３に対する側板１４の角度が維持され易くなる。従って、カードホルダ１１としての性能が継続的に発揮され易くなる。
【００２９】
（２）第１角度維持リブ１６は、容器本体５１に向けて突設されているため、曲部１５において、カードＣの挿脱方向Ｄとは異なる方向へカードＣが移動することを規制するリブとして機能させることができる。このように設けた第１角度維持リブ１６により、カードＣは曲部１５において挿脱方向Ｄに案内されるようになるため、曲部１５を通じたカードＣの挿脱を円滑に行うことができるようになる。
【００３０】
（３）第１角度維持リブ１６は、カードＣの挿脱方向Ｄと直交する方向において離間して一対設けられ、それら一対の第１角度維持リブ１６の間にカードＣが挿入されるように構成されている。この構成によれば、カードＣの移動を規制するリブとしての機能を更に発揮させることができる。従って、曲部１５を通じたカードＣの挿脱を更に円滑に行うことができるようになる。
【００３１】
（４）底板面は凹凸状に形成されることで、底板面に摺接されながら挿脱されるカードＣと底板面との接触面積を小さくすることができる。すなわち、底面板に対するカードＣの摺動抵抗を低減することができるため、カードＣを円滑に挿脱することができるようになる。
【００３２】
（５）底板面は底板突条１３ａによって凹凸状に形成されることで、カードＣの挿脱を案内する機能と、底面板に対するカードＣの摺動抵抗を低減する機能とをバランスよく発揮させることができる。また、そうした底板突条１３ａによって底板面が補強されるため、カードホルダ１１としての性能が継続的に発揮され易くなる。
【００３３】
なお、前記実施形態を次のように変更して構成してもよい。
・前記第１及び第２角度維持リブ１６、１７は、それぞれ複数設けられているが、それらの数は特に限定されず、例えば第１及び第２角度維持リブ１６、１７の少なくとも一方のリブを一つ設けてもよい。
【００３４】
・第１及び第２角度維持リブ１６、１７の少なくとも一方のリブを省略してもよい。
・第１及び第２角度維持リブ１６、１７は、容器本体５１の外面に対向する曲面に設けられているが、第１及び第２角度維持リブ１６、１７の少なくとも一方を曲面の反対面に設けてもよい。
【００３５】
・前記第１角度維持リブ１６は、曲部１５の両側縁に設けられているが、例えばカードＣの幅寸法等に応じて、曲部１５の両側縁よりも内側に設けてもよい。
・底板突条１３ａを例えば突起に変更してもよい。この場合であっても、カードＣと底板面との接触面積を小さくすることができる。底板面に突起を形成する場合には、カードＣの摺動抵抗を低減させるという観点から、突起の先端を球面状にすることが好ましい。また、底板突条１３ａと突起とを組み合わせることで、底板面を凹凸状に形成してもよい。
【００３６】
・底板突条１３ａの数は、特に限定されず、例えば一つであってもよい。更に、前記底板突条１３ａを省略して底板面を平面状に形成してもよい。
・側板リブ１８、底板側縁リブ１９、及び底板先端縁リブ２０の少なくとも一つのリブを省略してもよい。
【００３７】
・開口窓を形成せずに、カードホルダ１１からカードＣを取り出してカードＣの情報を得るようにしてもよい。また、底板１３に開口窓を形成して、カードＣに記載されたバーコード等を容器本体５１の下方からリーダーにて読み取るように構成してもよい。
【００３８】
・底板係合部２１、側板係止部２２、及び支持部２３の少なくとも一種を省略してもよい。この場合、必要に応じてカードホルダ１１を容器本体５１に溶着させることで、カードホルダ１１を容器本体５１に取着することができる。
【００３９】
・前記底板１３及び側板１４は、側板リブ１８、底板側縁リブ１９等によって、それぞれ容器底壁５２及び容器側壁５３との間隔が狭まらないように構成されている。例えば、容器底壁５２又は容器側壁５３に底板１３又は側板１４を支持する突部を形成することで、底板１３又は側板１４と容器底壁５２又は容器側壁５３との間隔が狭まらないように構成することもできる。
【００４０】
・前記カードホルダ１１は、合成樹脂から成形されているが、例えばアルミニウム等の金属板から形成してもよい。
・前記底板１３及び側板１４は長四角形状をなしているが、例えば台形状、六角形状等の形状に変更してもよい。
【００４１】
・容器本体５１の形状を例えば有底八角箱状等の形状に変更してもよい。
上記実施形態から把握できる技術的思想について以下に記載する。
・前記リブが、前記曲部の側縁に沿って延びるように設けられているカードホルダ。
【００４２】
・前記リブが、第１角度維持リブと第２角度維持リブとを含み、前記第１角度維持リブはカードの挿脱方向Ｄと直交する方向において離間して一対設けられ、同一対の第１角度維持リブの間にカードが挿入されるように構成される一方で、前記第２角度維持リブは前記一対の第１角度維持リブの間に設けられ、前記第２角度維持リブの突出長さは前記第１角度維持リブの突出長さよりも短く形成されているカードホルダ。
【００４３】
・前記第２角度維持リブは、前記突条に連なっているカードホルダ。
・容器底壁とその容器底壁に立設された容器側壁とから有底箱状に形成される容器本体と、同容器本体に取着されるホルダ本体とにより、前記容器本体内に収容される収容物に関する情報が記載されるカードを保持するカードの保持構造であって、前記ホルダ本体は、前記容器底壁の外面に沿って配置される底板と前記容器側壁の外面に沿って配置される側板とを曲部を介して一体に形成されてなり、前記側板の上方から前記側板と前記容器側壁との間隙に挿入されるカードが前記ホルダ本体と前記容器本体との間隙に保持されるように構成され、前記底板に対する前記側板の角度を維持するためのリブが前記曲部に設けられているカードの保持構造。
【図面の簡単な説明】
【００４４】
【図１】（ａ）はカードホルダを示す斜視図、（ｂ）は容器本体を部分的に示す斜視図。
【図２】カードホルダを取着した容器本体を部分的に示す斜視図。
【図３】（ａ）はカードホルダを取着した容器本体を部分的に示す底面図、（ｂ）はその側面図。
【図４】（ａ）は図３（ｂ）のＡ−Ａ線に沿った部分断面図、（ｂ）は図３（ｂ）のＢ−Ｂ線に沿った部分断面図。
【符号の説明】
【００４５】
１１…カードホルダ、１２…ホルダ本体、１３…底板、１３ａ…底板突条、１４…側板、１５…曲部、１６…第１角度維持リブ、１７…第２角度維持リブ、５１…容器本体、５２…容器底壁、５３…容器側壁。
【図１】
0005210576.tif 000002
【図２】
0005210576.tif 000003
【図３】
0005210576.tif 000004
【図４】
0005210576.tif 000005